(57)【要約】      （修正有）【課題】蛍光液と酸化液との混合液の発光に加えてキャンドルの炎による明かりを採り入れることにより、宴席、特に結婚披露宴において重要な荘厳且つ幽玄な雰囲気を充分に醸し出すことができる装飾具を提供する。【解決手段】発光溶液注出容器１４から最上段の液受け容器７内に蛍光液と酸化液を同時に注入すると、これら蛍光液と酸化液は混合し、化学反応により発光する。これらの混合液はあふれて下段の液受け容器に順次注入される。よって、最上段の液受け容器７から最下段の液受け容器７までの全てが順次発光する。これと同時に、高い方の燭台１２に保持されたキャンドル８の炎は、上段側に位置する発光中の液受け容器７を照らし且つ一部はこれを透過し一部は外面に反射し、また低い方の燭台１３に保持されたキャンドル９の炎は、下段側の発光中の液受け容器７を照らし且つ一部はこれを透過し一部は外面に反射する。【選択図】図１
0003150519.tif 000002
【実用新案登録請求の範囲】
【請求項１】
支持板上に立設した支柱の頂部に傾斜させて取着し、上端と下端の間に所定の間隔で複数の容器保持部を設けた容器保持アームと、前記容器保持部に保持した、上部開口に注出部を形成した透明な液受け容器と、前記支持板上に立設した高さの異なる支柱の夫々の頂部にキャンドルを保持するようになした燭台とからなり、蛍光液と化学反応して発光する酸化液を一緒に最上段の液受け容器に注入することにより、蛍光液と酸化液との混合液が順次下段の液受け容器に流下し、夫々の液受け容器内で発光すると共に、前記燭台に保持したキャンドルに着火するようにしてなることを特徴とする装飾具。
【請求項２】
支持板上に立設した支柱の頂部に傾斜させて取着し、上端と下端の間に所定の間隔で複数の容器保持部を設けた容器保持アームと、前記容器保持部に保持した、上部開口に注出部を形成した透明な液受け容器と、前記支持板上に立設した高さの異なる支柱の夫々の頂部にキャンドルを保持するようになした燭台と、ノズルを有する外容器内にノズルを有する内容器を収容し、両ノズルを同一方向に揃えて突出させた内外二重の容器であり、いずれかの容器の一方に蛍光液を、他方の容器に前記蛍光液と化学反応して発光する酸化液を充填してなる発光溶液注出容器とからなり、前記発光溶液注出容器から最上段の液受け容器に蛍光液と酸化液との混合液を一緒に注入して、混合された蛍光液と酸化液との混合液が順次下段の液受け容器に流下し、夫々の液受け容器内で発光すると共に、前記燭台に保持したキャンドルに着火するようにしてなることを特徴とする装飾具。
【請求項３】
上部開口に注出部を形成した透明な液受け容器が、ハート形本体の下部に垂直の棒状連結部を一体形成した液受け容器であり、容器保持部が、前記液受け容器の棒状連結部を受容可能な筒状をなし且つ棒状連結部を固定するため所定箇所に超ネジその他の固定具を有する容器保持部である請求項１又は２記載の装飾具。
【考案の詳細な説明】
【技術分野】
【０００１】
本考案は装飾具に関し、更に詳細には結婚披露宴等の宴席を盛り上げるために使用する装飾具に係わる。
【背景技術】
【０００２】
従来、結婚披露宴では、それを盛り上げるための手段の一つとしてキャンドルサービスが行われている。それは、新郎新婦が各席を回ってキャンドルに着火した後、最後に新郎新婦席の脇に設置した大きなハート形の枠に取り付けたキャンドルの一番下のものに着火させ、これが上方に向かって順々に着火していき、最後に大きなハート形になるようにするものである。
【０００３】
ところで、上記従来のキャンドルサービスに代えて、更に一層宴席の盛り上げ効果を高めるために、特許文献１に記載の装飾具が提案されている。
【先行技術文献】
【特許文献】
【０００４】
【特許文献１】実用新案登録第３０８５８５７号公報
【０００５】
上記特許文献１に記載の装飾具は、図５に示す通りであり、図５において該装飾具１１は、上方から傾斜した２本のアーム部材９ａ、９ｂに設けた複数の容器保持部１０、１０、１０・・・の各々に、蛍光液１２を充填したノズル付き容器１を保持させ、最上段のノズル付き容器１に酸化液１３を注入してあふれさせ、順次下段のノズル付き容器１に流下させて各ノズル付き容器の蛍光液を化学反応により発光させるよう構成したものである。
【０００６】
斯かる特許文献１に記載の装飾具１１によれば、蛍光液が発光することと、発光がいくつも上から下に順々に行われることにおいて従来の単なるキャンドルへの着火よりは盛り上げ効果を高めることはできる。しかし、蛍光液の発光だけであるため、宴席、特に結婚披露宴の場合において重要な荘厳且つ幽玄な雰囲気を醸し出す上では今一歩の感があった。
【考案の概要】
【考案が解決しようとする課題】
【０００７】
本考案は上記の点に鑑みなされたものであって、上記特許文献１に記載の装飾具と同様の蛍光液の発光に加えてキャンドルの炎による明かりを採り入れることにより、宴席、特に結婚披露宴において重要な荘厳且つ幽玄な雰囲気を充分に醸し出すことができるようになした装飾具を提供しようとするものである。
【課題を解決するための手段】
【０００８】
而して、本考案の要旨とするところは、支持板上に立設した支柱の頂部に傾斜させて取着し、上端と下端の間に所定の間隔で複数の容器保持部を設けた容器保持アームと、前記容器保持部に保持した、上部開口に注出部を形成した透明な液受け容器と、前記支持板上に立設した高さの異なる支柱の夫々の頂部にキャンドルを保持するようになした燭台とからなり、蛍光液と化学反応して発光する酸化液を一緒に最上段の液受け容器に注入することにより、蛍光液と酸化液との混合液が順次下段の液受け容器に流下し、夫々の液受け容器内で発光すると共に、前記燭台に保持したキャンドルに着火するようにしてなることを特徴とする装飾具にある。
【０００９】
また、支持板上に立設した支柱の頂部に傾斜させて取着し、上端と下端の間に所定の間隔で複数の容器保持部を設けた容器保持アームと、前記容器保持部に保持した、上部開口に注出部を形成した透明な液受け容器と、前記支持板上に立設した高さの異なる支柱の夫々の頂部にキャンドルを保持するようになした燭台と、ノズルを有する外容器内にノズルを有する内容器を収容し、両ノズルを同一方向に揃えて突出させた内外二重の容器であり、いずれかの容器の一方に蛍光液を、他方の容器に前記蛍光液と化学反応して発光する酸化液を充填してなる発光溶液注出容器とからなり、前記発光溶液注出容器から最上段の液受け容器に蛍光液と酸化液との混合液を一緒に注入して、混合された蛍光液と酸化液との混合液が順次下段の液受け容器に流下し、夫々の液受け容器内で発光すると共に、前記燭台に保持したキャンドルに着火するようにしてなることを特徴とする装飾具をもその特徴とする。
【００１０】
また、上記構成において、上部開口に注出部を形成した透明な液受け容器が、ハート形本体の下部に垂直の棒状連結部を一体形成した液受け容器であり、容器保持部が、前記液受け容器の棒状連結部を受容可能な筒状をなし且つ棒状連結部を固定するため側方その他所定箇所に超ネジその他の固定具を有する容器保持部としてもよい。
【考案の効果】
【００１１】
本考案は上記の如き構成であり、蛍光液の発光に加えてキャンドルの炎による明かりを採り入れることにより、宴席、特に結婚披露宴において重要な荘厳且つ幽玄な雰囲気を醸し出すことができるものである。
【００１２】
また、上部開口に注出部を形成した透明な液受け容器が、ハート形本体の下部に垂直の棒状連結部を一体形成した液受け容器であり、容器保持部が、前記液受け容器の棒状連結部を受容可能な筒状をなし且つ棒状連結部を固定するため側方その他所定箇所に超ネジその他の固定具を有する容器保持部となした場合には、蛍光液と酸化液の混合液が最も効率よく順次流下するように、各液受け容器の向き及び高さを調節することが可能となるものである。尚、向き及び高さの調節は、液受け容器の棒状連結部を容器保持部内において上下方向又は水平方向に適宜の位置にずらして行い、その後超ネジ等の固定具により固定するものである。
【図面の簡単な説明】
【００１３】
【図１】本考案の実施形態に係る装飾具の正面側から看た図である。
【図２】同背面側から看た図である。
【図３】液受け容器の斜視図である。
【図４】液受け容器と容器保持部の斜視図である。
【図５】特許文献１に記載の装飾具の説明図である。
【考案を実施するための形態】
【００１４】
以下、本考案を実施するための形態について、図面を参照して説明する。
【００１５】
図中、１は装飾具である。２は支持板３上に立設した支柱４の頂部に傾斜させて取着し、上端と下端の間に所定の間隔で複数の容器保持部５、５を設けた容器保持アームである。
【００１６】
また、容器保持部５は、後記液受け容器の棒状連結部を受容可能な筒状をなし且つ側面に前記棒状連結部を固定するため側方その他所定箇所に超ネジその他の固定具６を取着してなるものである。
【００１７】
７は、前記容器保持部５に保持した、上部開口７ａに注出部７ａ′を形成した透明な液受け容器である。該液受け容器７はガラス又はプラスチックにより成形する。また、該液受け容器７は、ハート形本体７Ａの下部に垂直の棒状連結部７Ｂを一体形成してなるものである。
【００１８】
８、９は前記支持板３上に垂直に立設した高さの異なる支柱１０、１１の夫々の頂部に固着した燭台１２、１３をもって保持するキャンドルである。
【００１９】
１４はノズル１５ａを有する外容器１５内にノズル１６ａを有する内容器１６を収容し、両ノズル１５ａ、１６ａを同一方向に揃えて突出させた内外二重の容器であり、いずれかの容器の一方に蛍光液（図示せず。）を、他方の容器に前記蛍光液と化学反応して発光する酸化液（図示せず。）を充填してなる発光溶液注出容器である。尚、蛍光液による発光の色は、雰囲気に合わせて適宜に選択すればよい。
【００２０】
そして、前記発光溶液注出容器１４から最上段の液受け容器７に注入して混合された蛍光液と酸化液との混合液が順次下段の液受け容器７に流下し、夫々の液受け容器７内で発光するよう構成すると共に前記支持板上に立設した燭台に保持されたキャンドルに着火するようにしてなるものである。
【００２１】
上記の如く、発光溶液注出容器１４から最上段の液受け容器７内に蛍光液と酸化液を同時に注入すると、これら蛍光液と酸化液は混合し、化学反応により発光する。そして、これらの混合液はあふれて下段の液受け容器に順次注入される。したがって、最上段の液受け容器７から最下段の液受け容器７までの全てが順次発光する。これと同時に、高い方の燭台１２に保持されたキャンドル８の炎は、上段側に位置する発光中の液受け容器７を照らし且つ一部はこれを透過し一部は外面に反射する。また低い方の燭台１３に保持されたキャンドル９の炎は、下段側の発光中の液受け容器７を照らし且つ一部はこれを透過し一部は外面に反射する。そしてまた、キャンドル８、９の炎のゆらめきは動きがあって且つ温たかみがあり、これらが相まって宴席、特に結婚披露宴において重要な荘厳且つ幽玄な雰囲気を充分に醸し出すことができるものである。
【００２２】
また、発光溶液注出容器１４は新郎新婦が協力して注ぎ、また、例えばキャンドル８、９は、一方は新郎の両親が、他方は新婦の両親が着火する等することにより、一層雰囲気を盛り上げることができる。
【符号の説明】
【００２３】
１  装飾具
２  容器保持アーム
３  支持板
４  支柱
５、５  容器保持部
６  超ネジ
７  液受け容器
７Ａ  ハート形の液受け容器本体
７Ｂ  棒状連結部
８、９  キャンドル
１０、１１  支柱
１２、１３  燭台
１４  発光溶液注出容器
１５  外容器
１５ａ  ノズル
１６  内容器
１６ａ  ノズル
【図１】
0003150519.tif 000003
【図２】
0003150519.tif 000004
【図３】
0003150519.tif 000005
【図４】
0003150519.tif 000006
【図５】
0003150519.tif 000007